(57)【要約】【課題】保管時や持ち運び時に、外力や外部からの衝撃を受けても、収納した物品が破損するなどのおそれがない物品収納ケースを提供する。【解決手段】折り畳みが可能な物品収納ケースであり、撓まない硬質素材よりなる矩形状の底板部２と、底板部２の各側縁に連なる一対の側板部４ａ，４ｂと、底板部２の各端縁に連なる一対の端板部５ａ，５ｂとを有する。各側板部４ａ，４ｂおよび各端板部５ａ，５ｂは、硬質素材よりなり、内方向へ可撓性を有する。各端板部５ａ，５ｂの両側縁と各側板部４ａ，４ｂの周縁との間は開閉可能な留め具６ａ，６ｂにより連結されて物品収納空間が形成される。折り畳み時、各側板部４ａ，４ｂは内方へ丸められ、各端板部５ａ，５ｂは側板部４ａ，４ｂ上に上下に重ねられる。【選択図】図１
2019107363.tif 000002
【特許請求の範囲】
【請求項１】
折り畳みが可能な物品収納ケースであって、撓まない硬質素材よりなる平面形状が矩形状の底板部と、前記底板部の平行な各側縁に連なる一対の側板部と、前記底板部の平行な各端縁に連なる一対の端板部とを有し、前記各側板部および各端板部は、硬質素材よりなり、少なくとも内方向へ可撓性を有し、前記各端板部の両側縁と前記各側板部の周縁との間は開閉可能な留め具により連結され、前記底板部上に前記側板部および前記端板部により覆われる物品収納空間が形成されており、折り畳み時、前記各側板部は内方へ丸められ、前記各端板部は側板部上に上下に重ねられる物品収納ケース。
【請求項２】
前記物品収納空間は、折り畳み自転車を収納することが可能な広さを有する請求項１に記載の物品収納ケース。
【請求項３】
前記底板部は、周縁に沿って一周する立上り壁を有し、前記立上り壁の上端縁に前記側板部および端板部が連なっている請求項１に記載の物品収納ケース。
【請求項４】
前記底板部は、ハンドルおよびキャスターが取り付けられている請求項１または３に記載の物品収納ケース。
【請求項５】
前記底板部は、ショルダー用のベルトが取り付けられている請求項１，３，４のいずれかに記載の物品収納ケース。
【請求項６】
前記各側板部は、外周縁が平行な両側辺部と上辺部と上辺部の両端の湾曲部とで構成される請求項１に記載の物品収納ケース。
【請求項７】
前記各側板部は、ＴＰＵを素材として形成される請求項１または６に記載の物品収納ケース。
【請求項８】
前記各端板部は、同じ長さを有し、前記側板部の上辺部の中央位置で先端部が重ねられる請求項１に記載の物品収納ケース。
【請求項９】
前記各端板部は、ＴＰＵを素材として形成される請求項１または８に記載の物品収納ケース。
【請求項１０】
前記各側板部および各端板部は、弾性を有するシートにより内張りされている請求項１に記載の物品収納ケース。
【請求項１１】
請求項１〜１０のいずれかに記載の物品収納ケースであって、展開状態および折り畳み状態を保持する固定具をさらに備える物品収納ケース。
【発明の詳細な説明】
【技術分野】
【０００１】
この発明は、機械や器具などの物品、例えば、折り畳んだ状態の折り畳み自転車を収納するのに用いられる物品収納ケースに関し、この発明は、特に、折り畳み自転車を収納した状態での保管や持ち運びに加えて、折り畳み自転車を取り出した後の折り畳まれた状態での保管や持ち運びに好適な物品収納ケースに関する。
【背景技術】
【０００２】
先般、折り畳み自転車を折り畳んだ状態で収納するものとして、キャスター付きの収納バッグが提案された（例えば、特許文献１参照）。この収納バッグは、自転車の取出し後、底面部の略中央部で二つ折りし、その二つ折りされた底面部間に、他の部分である本体部の全てを挟み込んで小さく折り畳むようになっている。なお、折り畳み自転車は、折り畳むことが可能なようにフレーム構造に折り畳み機構が設けられたものである。
【先行技術文献】
【特許文献】
【０００３】
【特許文献１】特開２０１７−２３２５７号公報
【発明の概要】
【発明が解決しようとする課題】
【０００４】
上記の収納バッグは、ポリエステルなどの合成樹脂製生地を素材として形成されており、軽量かつ取扱が容易であり、持ち運びに大きな労力を必要としない、という利点がある。しかし、合成樹脂製生地は強靱さに欠け、破れるおそれがある。また、耐衝撃性に乏しいため、保管時や持ち運び時に外力や外部からの衝撃を受けると、折り畳み自転車が破損するおそれがある。
【０００５】
この発明は、上記の問題に着目してなされたもので、保管時や持ち運び時に、外力や外部からの衝撃を受けても、収納した物品が破損するなどのおそれがない強靱で耐衝撃性に優れた物品収納ケースを提供することを目的とする。
【課題を解決するための手段】
【０００６】
この発明による物品収納ケースは、折り畳みが可能なものであり、撓まない硬質素材よりなる平面形状が矩形状の底板部と、底板部の平行な各側縁に連なる一対の側板部と、底板部の平行な各端縁に連なる一対の端板部とを有する。各側板部および各端板部は、硬質素材よりなり、少なくとも内方向へ可撓性を有する。各端板部の両側縁と各側板部の周縁との間は開閉可能な留め具により連結され、底板部上に側板部および端板部により覆われる物品収納空間が形成される。折り畳み時、各側板部は内方へ丸められ、各端板部は側板部上に上下に重ねられる。
【０００７】
上記した構成の物品収納ケースに物品を収納するには、各側板部と各端板部を展開し、底板部上に収納する物品を載せる。底板部の上面を覆うようにして各側板部の周縁と各端板部の両側縁との間を留め具により閉じる。これにより、保管時や持ち運び時、底板上の物品は強靱な側板部および端板部により覆われ、外力や外部からの衝撃によって破損されるおそれがない。
物品収納ケースを折り畳むには、各端板部の両側縁と各側板部の周縁との間を留め具により開き、底板部上より物品を取り出した後、各側板部を内方向へ丸めて底板上に載せ、丸められた側板部上に各端板部を曲げて上下に重ねる。これにより物品収納ケースはコンパクトに折り畳まれ、保管に場所をとらず、持ち運びも容易である。
【０００８】
好ましい実施形態では、前記物品収納空間は、折り畳み自転車を収納することが可能な広さを有する。なお、物品収納ケースは、折り畳み自転車に限らず、各種の機械や器具などの物品を収納するのに適しており、その場合、物品収納空間は、機械や器具などの物品の形状や大きさに応じた広さに設定する。
【０００９】
前記底板部は、比較的厚手の板状体や内部が中空の板状体など、種々の形態のものが考えられるが、好ましい形態の底板部は、周縁に沿って一周する立上り壁を有し、立上り壁の上端縁に側板部および端板部が連なっている。
【００１０】
好ましい実施形態では、持ち運びに適するように、前記底板部はハンドルおよびキャスターが取り付けられ、また、下面にショルダー用のベルトが取り付けられている。
【００１１】
一実施態様においては、各側板部は、外周縁が平行な両側辺部と上辺部と上辺部の両端の湾曲部とで構成されているが、これに限らず、外周縁が両側辺部と上辺部のみで構成されていてもよく、また、外周縁の全体が湾曲するような形態のものであってもよい。
【００１２】
好ましい実施形態においては、前記側板部および端板部は、ＴＰＵを素材として形成されている。
ここで、ＴＰＵとは、熱可塑性ポリウレタンのことであり、ゴムのような弾力性と硬質プラスチックのような強靱さを併せ持つ高分子化合物であり、収納する物品を外力や衝撃による破損から守るのに適している。なお、側板部や端板部の素材として、ＴＰＵに代えて、ポリカーボネートを用いることもできる。
【００１３】
好ましい実施形態においては、前記各端板部は、同じ長さを有し、側板部の上辺部の中央位置で先端部が重ね合わされるが、これに限らず、各端板部を異なる長さとし、側板部の上辺部の中央から外れた位置で先端部が重ね合わされるようにしてもよい。
【００１４】
さらに好ましい実施形態においては、前記側板部および端板部は、発泡樹脂シートのような弾性を有するシートにより内張りされる。この実施態様によると、収納される物品はシートによる緩衝作用によって外力や外部からの衝撃から保護される。
【００１５】
上記した各実施態様において、展開状態および折り畳み状態を保持するための固定具をさらに備えていることが望ましい。
【発明の効果】
【００１６】
この発明によれば、収納した物品が強靱な側板部および端板部により覆われるので、保管時や持ち運び時に外力や外部からの衝撃を受けても、物品の破損を招くおそれがない。
【図面の簡単な説明】
【００１７】
【図１】折り畳み自転車が収納された物品収納ケースを示す背面側より見た斜視図である。
【図２】折り畳み自転車が収納された物品収納ケースを持ち運ぶときの状態を示す前面側より見た斜視図である。
【図３】（１）は一方の側板部の構成を示す正面図、（２）は他方の側板部の構成を示す背面図、（３）一方の端板部の構成を示す側面図、（４）は他方の端板部の構成を示す側面図である。
【図４】図１のＡ−Ａ線に沿う断面図である。
【図５】図１のＢ−Ｂ線に沿う断面図である。
【図６】端板部の構造を拡大して示す断面図である。
【図７】両側板部を丸めた状態を示す斜視図である。
【図８】折り畳んだ物品収納ケースを示す前面側より見た斜視図である。
【図９】折り畳んだ物品収納ケースを持ち運ぶときの状態を示す前面側より見た斜視図である。
【発明を実施するための形態】
【００１８】
図１および図２は、折り畳み自転車を折り畳んで収納した状態の物品収納ケース１の外観を示す。物品収納ケース１は、折り畳みが可能なものであり、図１および図２に展開時の状態が、後述する図８および図９に折り畳み時の状態が、それぞれ示されている。
【００１９】
図１に示す物品収納ケース１は、床面上に物品収納ケース１の底板部２が支持されており、折り畳み自転車は物品収納ケース１に収納された状態で安定して保管される。
図２に示す物品収納ケース１は、床面上に物品収納ケース１の一方の端板部５ａが支持されており、後述するハンドル３１を持ち、キャスター３０を転動させて搬送することができる。
【００２０】
物品収納ケース１は、折り畳んだ自転車（図示せず）を下方より支持するための底板部２と、底板部２上に被さるように設けられ折り畳んだ自転車の全体を覆うことが可能な大きさのカバー体３とを備える。底板部２は、撓まない硬質素材、例えば、ＡＢＳ樹脂のような硬質の合成樹脂よりなるもので、平面形状が矩形状をなし、両側縁２０および両端縁２１上に立ち上がる立ち上がり壁２２を有している。なお、底板部２は、ＡＢＳ樹脂に代えてポリカーボネートにより形成してよく、また、合成樹脂板に代えて金属板により形成することもできる。
【００２１】
カバー体３は、図３（１）（２）および図４に示される一対の側板部４ａ，４ｂと、図３（３）（４）および図５に示される一対の端板部５ａ，５ｂとからなる。各側板部４ａ，４ｂは、底板部２の各側縁２０に立ち上がり壁２２を介して連なっている。各端板部５ａ，５ｂは、底板部２の各端縁２１に立ち上がり壁２２を介して連なっている。この実施態様の底板部２は、側縁２０が端縁２１より長い長方矩形状であるが、これに限らず、側縁２０と端縁２１が同じ長さの正方矩形状であってもよい。
【００２２】
各側板部４ａ，４ｂおよび各端板部５ａ，５ｂは、例えばＴＰＵのような硬質素材よりなり、内外各方向へ可撓性を有し、特に、内方向へ十分に撓ませかつ湾曲させることが可能である。ここで、「内方向」とは各端板部５ａ，５ｂが向き合う方向をいい、これに対して、外方向は各端板部５ａ，５ｂが離反する方向である。各側板部４ａ，４ｂは、特に内方向へ十分に撓ませることが可能であり、折り畳むとき、図４において一点鎖線で示すように、各側板部４ａ，４ｂの全体を内方に丸めることができる。丸められた各側板部４ａ，４ｂは、図７に示すように、底板部２の立ち上がり壁２２に囲まれた空間内に収まる。
【００２３】
また、各端板部５ａ，５ｂも内方向へ湾曲するから、折り畳み時、図５において一点鎖線で示すように、各端板部５ａ，５ｂの下端部を内方へ曲げ、丸められた側板部４ａ，４ｂ上に上下に重ねることが可能である。
図７は、両側板部４ａ，４ｂを底板部２上に丸めた後の状態であって、各端板部５ａ，５ｂを内方向（図中、矢印で示す）へ曲げる前の起立した状態を示す。また、図８は、各端板部５ａ，５ｂを、まず端板部５ａ、次に端板部５ｂの順に内方向へ曲げて上下に重ねたときの状態を示す。
【００２４】
各側板部４ａ，４ｂは、それぞれの外周縁が、図３（１）（２）に示すように、互いに平行をなす両側辺部４１，４１と、水平をなす上辺部４２と、上辺部４２の両端の湾曲部４３，４３とで構成されている。各端板部５ａ，５ｂは、それぞれの外周縁が、図３（３）（４）に示すように、互いに平行をなす側辺部５１，５１と、水平をなす上辺部５２とで構成されている。
【００２５】
各側板部４ａ，４ｂの側辺部４１，４１間の幅は、底板部２の側縁２０の長さに一致する。各端板部５ａ，５ｂの側辺部５１，５１間の幅は、底板部２の端縁２１の長さに一致する。
各端板部５ａ，５ｂは、同じ長さを有し、各側板部４ａ，４ｂの周縁の長さの少なくとも２分の１の長さ、すなわち、側辺部４１，４１、上辺部４２、および湾曲部４３，４３の各長さの和の少なくとも２分の１の長さであり、これにより、展開時、各側板部４ａ，４ｂの上辺部４２の中央位置で端板部５ａ、５ｂの先端部が重なる（図１参照）。
【００２６】
図４に示すように、各側板部４ａ，４ｂの下辺部４４は、底板部２の立ち上がり壁２２の外面に重ねられ、複数箇所がリベット２３により止着される。
図５に示すように、各端板部５ａ，５ｂの下辺部５３は、底板部２の立ち上がり壁２２の外面に重ねられ、複数箇所がリベット２３により止着される。
【００２７】
展開時は、各側板部４ａ，４ｂは起立して互いに対向する。各端板部５ａ，５ｂは下半分が起立して互いに対向し、上半分が水平となる。一方の側板部４ａの周縁と各端板部５ａ，５ｂの一方の側縁との間、他方の側板部４ｂの周縁と各端板部５ａ，５ｂの他方の側縁との間は、開閉可能な留め具６ａ，６ｂにより連結され、底板部２上に側板部４ａ，４ｂおよび端板部５ａ，５ｂにより囲まれかつ覆われる物品収納空間Ｐが形成される。物品収納空間Ｐは、折り畳んだ状態の折り畳み自転車を収納することが可能な広さを有している。
【００２８】
各留め具６ａ，６ｂは、各側板部４ａ，４ｂの周縁に縫着されるファスナー６１ａ，６１ｂと、各端板部５ａ，５ｂの両側縁に縫着されるファスナー６２，６２と、滑動によって各側板部４ａ，４ｂの周縁に縫着されたファスナー６１ａ，６１ｂと端板部５ａ，５ｂの各側縁に縫着されたファスナー６２との間を噛み合わせたり噛み合わせを外したりするスライダー６３，６４と、各側板部４ａ，４ｂの外面の上端部中央にそれぞれ取り付けられ各スライダー６３，６４が係脱可能な係合部６５ａを有するロック部材６５とを含んでいる。ロック部材６５にはダイヤル錠機構が組み込まれ、３個のダイヤル６５ｂを所定の番号列に整列させると解錠状態となり、番号列の整列を乱すと施錠状態となる。なお、留め具６ａ，６ｂは、ファスナー６１，６２を用いたものに限らず、例えば、ホックのような留め金を用いたものであってもよい。  
【００２９】
各端板部５ａ，５ｂは、側板部４ａ，４ｂの上辺部４２の中央位置で先端部が重ね合わされるように同じ長さに設定されているが、互いに異なる長さに設定することもでき、この場合は、各端板部５ａ，５ｂは、側板部４ａ，４ｂの上辺部４２の中央からずれた位置で先端部が重ね合わされる。
【００３０】
各端板部５ａ，５ｂには、図１および図３（３）（４）に示すように、ほぼ全幅にわたる補強用のリブ５５が一定間隔毎に複数個形成されている。各リブ５５は、図６に示すように、板面を外方へ膨出させて形成されたもので、帯状をなし、外周面は湾曲している。各端板部５ａ，５ｂは、発泡樹脂シートなどの弾性を有するシート５０により内張りされている。
【００３１】
各側板部４ａ，４ｂも、図１および図３（１）（２）に示すように、ほぼ全幅にわたる補強用のリブ４５が一定間隔毎に複数個形成されている。各リブ４５は、同様に板面を外方へ膨出させて形成されたもので、帯状をなし、外周面はフラットである。図示していないが、各側板部４ａ，４ｂも、発泡樹脂シートなどの弾性を有するシートにより内張りされている。
【００３２】
図１に示す展開状態は、側板部４ａ，４ｂ間の端板部５ａ，５ｂ上に掛け渡される２本の布製のベルト７１，７２によって保持される。各ベルト７１，７２は、図３（１）（２）に示すように、ベルト片７１ａ，７１ｂ、７２ａ，７２ｂの基端が各側板部４ａ，４ｂの上端部にそれぞれ取り付けられている。各ベルト片７１ａ，７１ｂ間および７２ａ，７２ｂ間は、先端の連結具７３，７４により互いに連結が可能になっている。２本のベルト７１，７２および連結具７３，７４は、展開状態を保持する固定具７を構成する。なお、固定具７は図示例の態様に限定されない。
【００３３】
図８に示す折り畳み状態は、一方の端板部５ｂと底板部２の立ち上がり壁２２との間に掛け渡される布製のベルト７５よりなる固定具７０によって保持される。ベルト７５は、図３（３）（４）に示すように、ベルト片７５ａ，７５ｂの基端部が、端板部５ｂの上端部と底板部２の立ち上がり壁２２にそれぞれ取り付けられており、先端の連結具７６，７７により互いに連結が可能になっている。
【００３４】
底板部２の下面には、図２および図９に示すように、一方の端板部５ａの側にハンドル３１が、他方の端板部５ｂの側に２個のキャスター３０が、それぞれ取り付けられている。ハンドル３１は、２本の脚部３１ａ，３１ｂが左右のハンドル支持穴３２にそれぞれ差し込まれており、ハンドル３１のハンドル支持穴３２からの突出長さを自在に設定しかつ固定することが可能になっている。なお、この種のハンドル３１は、旅行用のスーツケースなどに組み込まれる公知のものであり、詳細な説明を省略する。また、底板部２の下面の両側には、折り畳み時、物品収納ケース１を背負うためのショルダー用のベルト３３が取り付けられている。
【００３５】
上記した構成の物品収納ケース１に折り畳み自転車を折り畳んだ状態で収納するには、スライダー６３，６４を開操作してファスナー６１ａ，６２間およびファスナー６１ｂ、６２間をそれぞれ開き、各側板部４ａ，４ｂと各端板部５ａ，５ｂとを展開した後、底板部２上に折り畳んだ状態の折り畳み自転車を載せる。つぎにスライダー６３，６４を閉操作し、底板部２の上面を覆うようにして各側板部４ａ，４ｂの周縁と各端板部５ａ，５ｂの両側縁との間をファスナー６１ａ、６１ｂ、６２により閉じる。これにより、底板部２上の折り畳み自転車は、保管時や持ち運び時、強靱な側板部４ａ，４ｂおよび端板部５ａ，５ｂにより覆われ、外力や外部からの衝撃によって破損するおそれはない。
【００３６】
物品収納ケース１を折り畳むには、スライダー６３，６４を開操作してファスナー６１ａ，６２間およびファスナー６１ｂ、６２間をそれぞれ開き、各側板部４ａ，４ｂと各端板部５ａ，５ｂとを展開した後、底板部２上より折り畳み自転車を取り出す。つぎに、各側板部４ａ，４ｂを内方向へ丸めて底板部２上に載せ、丸められた側板部４ａ，４ｂ上に各端板部５ａ，５ｂを順次曲げて上下に重ねる。これにより物品収納ケース１はコンパクトに折り畳まれ、保管に場所をとらず、持ち運びも容易である。
【００３７】
図９は、物品収納ケース１を折り畳んだときの形態を、一点鎖線は展開したときの形態を、それぞれ示しており、折り畳み時は展開時と比較して十分に嵩張らない形態になっているので、ショルダー用のベルト３３により物品収納ケース１を背負って自転車に乗ることも可能である。
【符号の説明】
【００３８】
１    物品収納ケース
２    底板部
４ａ，４ｂ  側板部
５ａ，５ｂ  端板部
６ａ，６ｂ  留め具
７，７０  固定具
３０  キャスター
３１  ハンドル
３３  ショルダー用のベルト
４１  側辺部
４２  上辺部
４３  湾曲部
５０  シート
【図１】
2019107363.tif 000003
【図２】
2019107363.tif 000004
【図３】
2019107363.tif 000005
【図４】
2019107363.tif 000006
【図５】
2019107363.tif 000007
【図６】
2019107363.tif 000008
【図７】
2019107363.tif 000009
【図８】
2019107363.tif 000010
【図９】
2019107363.tif 000011